(57)【特許請求の範囲】
【請求項１】
ポンプを駆動することによりノズルから水を吐出して口腔を洗浄する口腔洗浄器本体の下部の外周に上面を開口せる有底筒状のタンクを上下にスライド自在に装着し、口腔洗浄器本体に対してタンクを下方にスライドさせて伸ばした使用状態で、ポンプでタンク内の水が吸い上げ可能となるように、タンク内の水の吸い上げパイプが口腔洗浄器本体のポンプの吸い上げ側と水密的に連通し、且つ口腔洗浄器本体に対してタンクを上方にスライドさせて縮めた状態で、ポンプでタンク内の水が吸い上げられないように、前記吸い上げパイプが口腔洗浄器本体のポンプの吸い上げ側と水密的に連通しないようにすることを特徴とする口腔洗浄器。
【請求項２】
タンクのスライドと連動して吸い上げパイプが口腔洗浄器本体内に出没自在にして成ることを特徴とする請求項１記載の口腔洗浄器。
【請求項３】
吸い上げパイプが口腔洗浄器本体より突出するようにバネにて付勢して成ることを特徴とする請求項２記載の口腔洗浄器。
【請求項４】
吸い上げパイプとタンクとを連結して成ることを特徴とする請求項２記載の口腔洗浄器。
【請求項５】
口腔洗浄器本体内にポンプに連通する連通管を有し、この連通管内に吸い上げパイプがスライド自在に内装されたことを特徴とする請求項２記載の口腔洗浄器。
【請求項６】
吸い上げパイプをタンクの内面に一体に設け、吸い上げパイプの上端と口腔洗浄器本体の吸い上げ口とを連通させて成ることを特徴とする請求項１記載の口腔洗浄器。
【発明の詳細な説明】
【０００１】
【発明の属する技術分野】
本発明はノズルから水を吐出して口腔を洗浄する口腔洗浄器に関し、詳しくはこれにおいて吐出する水を溜めるタンクの構造に関するものである。
【０００２】
【従来の技術】
従来のこの種の口腔洗浄器は図６に示すように口腔洗浄器本体１の側部にタンク２が一体に設けられており、口腔洗浄器本体１の上端にはノズル（図示せず）を接続する接続口３が設けられている。口腔洗浄器本体１の本体ハウジング４内にはタンク２内の水を吸引して加圧するポンプ５と、ポンプ５を駆動するモータ６と、モータ６の回転動作をポンプ５に伝達させる駆動ブロック７と、電源部となる充電池等を収納する電池収納部８が内蔵されている。ここで、上記モータ６の出力軸にはピニオン９が固着され、該ピニオン９はフェイスギア１０と噛合し、フェイスギア１０の回転中心には軸ピン１１がフェイスギア１０を貫通して設けられている。フェイスギア１０にはコンロッド１２が係合する円形突起１３が設けられ、且この円形突起１３の回転中心はフェイスギア１０の回転中心とは一致させずに偏心させてある。そして、コンロッド１２の下部は上記フェイスギア１０の円形突起１３に回転自在に係合されると共に、コンロッド１２の上部はポンプ５内部の円筒状のピストン１４に係合されている。このピストン１４は、ポンプ５内壁を摺動自在に往復運動を行って水の圧縮をするものである。またポンプ５の上部には吸入弁１５と吐出弁１６とが設けられている。吸入弁１５は吸い上げチューブ１７を介してタンク２に水路的に連結されており、タンク２の上部には給水のための給水蓋１８が開閉自在に設置されている。また本体ハウジング４の外にはモータ６のオン、オフをするスイッチＳＷが設けられている。モータ６を駆動すると、ポンプ５が駆動され、タンク２内の水が吸い上げチューブ１７を介してポンプ５に吸引され、ポンプ５から吐出する水が接続口３に接続したノズルから吐出して口腔の洗浄を行うことができる。
【０００３】
【発明が解決しようとする課題】
ところで、一定時間水を吐出するためにはタンク２の容量がある程度大きくなるが、このような容量のあるタンク２を口腔洗浄器本体１の側部に一体に設けると、口腔洗浄器全体のサイズが大きくなる（太さが太くなる）ため、使用時に持ちにくいという問題があり、また携帯するときに嵩張るという問題があった。
【０００４】
本発明は上記の点に鑑みてなされたものであり、タンクの容量を確保しつつ、使用時も握りやすい細さを確保し、収納時は全長を短くして携帯に便利な口腔洗浄器を提供することを課題とする。
【０００５】
【課題を解決するための手段】
上記課題を解決するため本発明の口腔洗浄器は、ポンプ５を駆動することによりノズル２２から水を吐出して口腔を洗浄する口腔洗浄器本体１の下部の外周に上面を開口せる有底筒状のタンク２を上下にスライド自在に装着し、口腔洗浄器本体１に対してタンク２を下方にスライドさせて伸ばした使用状態で、ポンプ５でタンク２内の水が吸い上げ可能となるように、タンク内２の水の吸い上げパイプ１９が口腔洗浄器本体１のポンプ５の吸い上げ側と水密的に連通し、且つ口腔洗浄器本体１に対してタンク２を上方にスライドさせて縮めた状態で、ポンプ５でタンク２内の水が吸い上げられないように、前記吸い上げパイプ１９が口腔洗浄器本体１のポンプ５の吸い上げ側と水密的に連通しないようにすることを特徴とする。口腔洗浄本体１の下部から伸ばすようにタンク２を下にスライドさせることによりタンク２に水を給水して溜める使用状態にでき、タンク２の容量を確保しつつ、使用時の握りやすい細さを確保して便利に使用できる。縮めるようにタンク２を上にスライドさせることにより使用しない収納状態にでき、収納時は全長を短くして携帯に便利にできる。使用状態になった状態でタンク２内の水の吸い上げパイプ１９が口腔洗浄器本体１のポンプ５の吸い上げ側と水密的に連通し得るようにして、収納状態では水密的に連通しないようにすると、収納状態で誤ってスイッチを入れてもタンク２内の残水が吐出する弊害を防ぐことができる。
【０００６】
またタンク２のスライドと連動して吸い上げパイプ１９が口腔洗浄器本体１内に出没自在にして成ることを特徴とすることも好ましい。
【０００７】
また吸い上げパイプ１９が口腔洗浄器本体１より突出するようにバネ２０にて付勢して成ることを特徴とすることも好ましい。
【０００８】
また吸い上げパイプ１９とタンク２とを連結して成ることを特徴とすることも好ましい。
【０００９】
また口腔洗浄器本体１内にポンプ５に連通する連通管２１を有し、この連通管２１内に吸い上げパイプ１９がスライド自在に内装されたことを特徴とすることも好ましい。
【００１０】
さらに吸い上げパイプ１９をタンク２の内面に一体に設け、吸い上げパイプ１９の上端と口腔洗浄器本体１の吸い上げ口とを連通させて成ることを特徴とすることも好ましい。
【００１１】
【発明の実施の形態】
以下、本発明の実施の形態を説明する。
【００１２】
口腔洗浄器本体１は、タンク２内の水を吸引して加圧するポンプ５、ポンプ５を駆動するモータ６、モータ６の回転動作をポンプ５に伝達させる駆動ブロック７、電源部となる充電池等を収納する電池収納部８を円筒状の本体ハウジング４内に内蔵させて形成されている。口腔洗浄器本体１の上端部には接続口３が設けられており、水を吐出するノズル２２を着脱自在に接続できるようになっている。上記モータ６の出力軸にはピニオン９が固着され、該ピニオン９はフェイスギア１０と噛合し、フェイスギア１０の回転中心には軸ピン１１がフェイスギア１０を貫通して設けられている。フェイスギア１０にはコンロッド１２が係合する円形突起１３が設けられ、且この円形突起１３の回転中心はフェイスギア１０の回転中心とは一致させずに偏心させてある。そして、コンロッド１２の下部は上記フェイスギア１０の円形突起１３に回転自在に係合されると共に、コンロッド１２の上部はポンプ５内部の円筒状のピストン１４に係合されている。このピストン１４は、ポンプ５内壁を摺動自在に往復運動を行って水の圧縮をするものである。またポンプ５の上部には吸入弁１５と吐出弁１６とが設けられている。吸入弁１５を設けた部分からポンプ吸い込み口２３を一体に連出してあり、本体ハウジング４内には上下に長い連通管２１を連通管２１の下端が本体ハウジング４の下端に至るように形成してあり、ポンプ吸い込み口２３を連通管２１の上端に接続してある。また本体ハウジング４の外にはモータ６をオン、オフするスイッチＳＷが設けられている。
【００１３】
本体ハウジング４の略下半部の外周には外径を細くした凹段部２４を設けてあり、この凹段部２４には上面を開口せる有底円筒状のタンク２を上下にスライド自在に被嵌して装着してある。凹段部２４には上下方向に複数条のスライド溝２５を凹設してあり、タンク２の内面の上端にはフック２６を設けてあり、フック２６をスライド溝２５にスライド自在に嵌合してあり、これによりタンク２が上下にスライドするときガイドされると共にタンク２を上端までスライドさせた収納状態やタンク２を下端までスライドさせた使用状態で位置決めされるようになっている。タンク２の下部の側面には給水口２７を設けてあり、この給水口２７を開閉自在な給水蓋１８にて閉塞してある。吸い上げパイプ１９はタンク２内に配置してあると共に吸い上げパイプ１９を連通管２１の下端から連通管２１内に上下に出入り自在に挿通してある。連通管２１内にはコイルバネよりなるバネ２０を内装してあり、バネ２０にて吸い上げパイプ１９を下方に付勢してあって、吸い上げパイプ１９の下端をタンク２の底面に押し付けてある。この連結管２１の内面は上部の内径が大きく下部の内径が小さくなるように形成されており、また吸い上げパイプ１９の上端の外周にはシールするためのＯリング２８が取り付けられており、吸い上げパイプ１９が下方に移動して出た状態ではＯリング２８が連通管２１の内面に接触されてシールされるが、吸い上げパイプ１９が上方に移動して入った状態ではＯリング２８が連通管２１の内面に接触せずシールされないようになっている。
【００１４】
上記のように口腔洗浄器が構成されるが、図２は使用状態にした状態を示す。この状態ではタンク２を下方に移動させて伸ばした状態になっており、タンク２内に所定の内容積を確保できるようになっている。この状態ではバネ２０による付勢にて吸い上げパイプ１９が連通管２１から下方に突出しており、吸い上げパイプ１９がタンク２内から水を吸い上げることができる状態になっている。このとき吸い上げパイプ１９のＯリング２８が連通管２１の下端部に位置しており、Ｏリング２８が連通管２１の内壁に密着してシールされている。この状態で給水口２７から水を給水してタンク２内に水を溜めて使用することができる。そしてポンプ５を駆動すると、タンク２内の水が吸い上げパイプ１９にて吸い上げられて連通管２１を介してポンプ５に吸い込まれ、接続口３を介してノズル２２から水が吐出されて口腔洗浄を行うことができる。このようにすることで、タンク２の容積を確保しつつ、使用時も握りやすい細さを確保できて便利に使用することができる。図１は収納状態にした状態を示し、タンク２内の水を空にしてタンク２を上にスライドさせてタンク２が口腔洗浄器本体１の下部外周に重なるようになっている。このときバネ２０に抗して吸い上げパイプ１９が連通管２１内に収まる。このように収納することで長さを短くして携帯に便利にできる。また収納状態では吸い上げパイプ１９が連通管２１内に収納されて吸い上げパイプ１９のＯリング２８が連通管２１の上部に位置してシールがされない状態となっており、この状態でポンプ５を駆動してもタンク２の残水を吸い上げて水を噴出するおそれがない。
【００１５】
図３はポンプ部の断面、駆動ブロック部の断面及びモータ部の断面を示す。図３（ａ）に示すようにポンプ５のポンプ吸い込み口２３は駆動ブロック７やモータ６に対して角度を付けて配置してあり、このことで電池収納部８と連通管２１の収納のためのスペースを確保できるようになっている。また図３（ｂ）（ｃ）に示すようにポンプ５の中心とモータ６の中心とをずらせて配置する（ΔＬの寸法）ことにより、小スペース内にポンプ５、駆動ブロック７及びモータ６を効率よく配置することが可能となっている。
【００１６】
図４は実施の形態の他例を示す。本例も上記例と基本的に同じであり、異なる点だけを述べる。本例の場合も、吸い上げパイプ１９が連通管２１に対して出入り自在になっているが、本体ハウジング４の外に突出する吸い上げパイプ１９の端部がタンク２の内面と連結板２９により連結してある。これにより、タンク２の上下スライド操作に連動して吸い上げパイプ１９が出没する。このために上記例のようにバネ２０を用いなくても吸い上げパイプ１９が出入りする。
【００１７】
図５は実施の形態の他例を示す。本例も上記例と基本的に同じであり、異なる点だけを述べる。本例の場合、吸い上げパイプ１９がタンク２の内面に一体に設けてあり、吸い上げパイプ１９の上部側面に連通穴３０を設けてあると共に吸い上げパイプ１９の下部側面に吸い込み穴３１を設けてある。本体ハウジング４内の連通管２１の下端には弾性体でできた連通口３２を連通管２１に連通するように設けてある。そして図５に示すようにタンク２を下に引き出した状態ではタンク２側の連通穴３０と本体ハウジング４側の弾性体の連通口３２とがシール結合され、タンク２内の水が吸い上げ可能となる。
【００１８】
【発明の効果】
上記のように本発明は、ポンプを駆動することによりノズルから水を吐出して口腔を洗浄する口腔洗浄器本体の下部の外周に上面を開口せる有底筒状のタンクを上下にスライド自在に装着し、口腔洗浄器本体に対してタンクを下方にスライドさせて伸ばした使用状態で、ポンプでタンク内の水が吸い上げ可能となるように、タンク内の水の吸い上げパイプが口腔洗浄器本体のポンプの吸い上げ側と水密的に連通し、且つ口腔洗浄器本体に対してタンクを上方にスライドさせて縮めた状態で、ポンプでタンク内の水が吸い上げられないように、前記吸い上げパイプが口腔洗浄器本体のポンプの吸い上げ側と水密的に連通しないようにしているので、口腔洗浄本体の下部から伸ばすようにタンクを下にスライドさせることによりタンクに水を給水して溜める使用状態にできるものであって、タンクの容量を確保しつつ、使用時の握りやすい細さを確保して便利に使用できるものであり、また縮めるようにタンクを上にスライドさせることにより使用しない収納状態にできるものであって、収納時は全長を短くして携帯に便利にできるものであり、さらに使用状態になった状態でタンク内の水の吸い上げパイプが口腔洗浄器本体のポンプの吸い上げ側と水密的に連通し得るようにして、収納状態では水密的に連通しないようにすると、収納状態で誤ってスイッチを入れてもタンク内の残水が吐出する弊害を防ぐことができるものである。
【図面の簡単な説明】
【図１】本発明の実施の形態の一例の口腔洗浄器の収納状態の縦断面図である。
【図２】同上の使用状態の縦断面図である。
【図３】図１の横断面図であり、（ａ）は図１のＡ−Ａ線で切断した断面図、（ｂ）は図１のＢ−Ｂ線で切断した断面図、（ｃ）は図１のＣ−Ｃ線で切断した断面図である。
【図４】同上の他例の一部切欠縦断面図である。
【図５】同上のさらに他の例の縦断面図である。
【図６】従来例の縦断面図である。
【符号の説明】
１  口腔洗浄器本体
２  タンク
５  ポンプ
１９  吸い上げパイプ
２０  バネ
２２  ノズル
【図１】
0003775056.tif 000002
【図２】
0003775056.tif 000003
【図３】
0003775056.tif 000004
【図４】
0003775056.tif 000005
【図５】
0003775056.tif 000006
【図６】
0003775056.tif 000007